(57)【要約】【課題】簡易な構成により美観性を向上し得る収納家具を提供する。【解決手段】前方に開口した第一の収納庫１１及びその開口を開閉自在に閉塞する第一の前板１４を有する第一の収納ユニット１０と、前方に開口した第二の収納庫２１及びその開口を開閉自在に閉塞する第二の前板２４を有する第二の収納ユニット２０とを、隣接させて組み合わせることにより構成された収納家具１であって、前記第二の収納ユニットは、閉状態における前記第二の前板が奥方に少許押し込まれることによって当該第二の前板を開放させるプッシュオープン機構２６を備え、前記第二の収納ユニットにおける前記第二の収納庫の前面２１ａが前記第一の収納ユニットにおける第一の収納庫の前面１１ａよりも少許奥方に位置して、これら両ユニットの接合目地ｊに段差部ｇが形成されており、前記段差部には、前記第一の収納庫の前面から前記第二の収納庫の前面にかけて沿面を形成する形状とされた目地部材２７が設けられている。【選択図】図１
2010142544.tif 000002
【特許請求の範囲】
【請求項１】
前方に開口した第一の収納庫及びその開口を開閉自在に閉塞する第一の前板を有する第一の収納ユニットと、前方に開口した第二の収納庫及びその開口を開閉自在に閉塞する第二の前板を有する第二の収納ユニットとを、隣接させて組み合わせることにより構成された収納家具であって、
前記第二の収納ユニットは、閉状態における前記第二の前板が奥方に少許押し込まれることによって当該第二の前板を開放させるプッシュオープン機構を備え、
前記第二の収納ユニットにおける前記第二の収納庫の前面が前記第一の収納ユニットにおける第一の収納庫の前面よりも少許奥方に位置して、これら両ユニットの接合目地に段差部が形成されており、
前記段差部には、前記第一の収納庫の前面から前記第二の収納庫の前面にかけて沿面を形成する形状とされた目地部材が設けられていることを特徴とする収納家具。
【請求項２】
請求項１において、
前記第一の収納ユニットにおける第一の前板は、第二の前板側の端面が前記接合目地よりも前記第二の前板側に位置するように形成されていることを特徴とする収納家具。
【請求項３】
請求項１または２において、
前記第一の前板と、前記第二の前板とは、略同厚さとされていることを特徴とする収納家具。
【請求項４】
請求項１乃至３のいずれか１項において、
前記目地部材は、前記第二の収納庫における前記接合目地側の前面に添設されていることを特徴とする収納家具。
【発明の詳細な説明】
【技術分野】
【０００１】
本発明は、前方に開口した第一の収納庫及びその開口を開閉自在に閉塞する第一の前板を有する第一の収納ユニットと、前方に開口した第二の収納庫及びその開口を開閉自在に閉塞する第二の前板を有する第二の収納ユニットとを、隣接させて組み合わせることにより構成された収納家具に関する。
【背景技術】
【０００２】
上記のような収納家具（キャビネット）としては、住居等の建物のリビングやダイニングスペース等の居室空間、或いは台所や洗面化粧台、玄関等に設置され、その設置スペースや趣向に応じて、種々のユニット化（モジュール化）された収納家具を適宜、組み合わせて構成するものが知られている。
上記のようにユニット化された各収納家具は、大略的に、前方に開口した収納庫と、該収納庫の開口を開閉自在に閉塞する前板とを備えており、例えば、該収納庫に引出しを出し入れ（引出し）自在に収納し、該引出しを収納スペースとしたものや、該収納庫自体を収納スペースとし、その開口を閉塞する開き扉を備えた開き収納などがある。
上記のような収納庫の開口を開閉自在に閉塞する前板（引出しの場合は、該引出しの前板、開き収納の場合は、開き扉等）を備えた収納家具としては、閉状態における該前板が奥方に少許押し込まれることによって当該前板を開放させるプッシュオープン機構を備えたもの（いわゆるプッシュオープン式収納家具）が知られている。
例えば、下記特許文献１では、シンクキャビネットとコンロキャビネットとの間に組み込み設置され、プッシュオープン引出しを備えたベースキャビネットが提案されている。
【特許文献１】特開２００７−２０９５１９号公報（図１〜図３参照）
【発明の開示】
【発明が解決しようとする課題】
【０００３】
ところで、上述のようなプッシュオープン式収納家具では、前板を少許押し込むことによって、プッシュオープン機構のロック手段等の解除がなされ、該前板が直接的或いは間接的に付勢手段等によって付勢されて、手前側（開放側）に向けて移動する構成とされている。
このように、プッシュオープン式収納家具では、前板を少許押し込む必要があるため、前板の裏面と、その収納庫の前面（開口縁端面）との間に、上記押し込みのためのスペースを設ける必要がある。
一方、このようなプッシュオープン機構を備えていない収納家具（以下、非プッシュオープン式収納家具と言う。）は、前板の裏面と、収納庫の前面との間に、上記のような押し込みのためのスペースを設ける必要がなく、該前板が閉塞された状態では、これらの間に隙間等が形成されないようにすることが好ましい。
【０００４】
上記のようなプッシュオープン式収納家具と、非プッシュオープン式収納家具とを、例えば、幅方向に並べて隣接させたり、高さ方向に積重ねて隣接させたりして、組み合わせることにより、組み合わせ家具を構成するような場合においては、以下のような問題があった。
すなわち、上記各収納家具の収納庫の各前面を揃えて設置するような場合においては、上記のようにプッシュオープン式収納家具は、上記押し込みのためのスペースを確保する必要があるため、当該プッシュオープン式収納家具の前板が、非プッシュオープン式収納家具の前板よりも僅かに手前に配置されることとなり、見栄えが悪いという問題があった。つまり、プッシュオープン式収納家具の前板と、非プッシュオープン式収納家具の前板との間に、段差が形成されてしまい、意匠性の観点から改善が望まれていた。
【０００５】
本発明は、上記実情に鑑みなされたものであり、簡易な構成により美観性を向上し得る収納家具を提供することを目的としている。
【課題を解決するための手段】
【０００６】
前記目的を達成するために、本発明に係る収納家具は、前方に開口した第一の収納庫及びその開口を開閉自在に閉塞する第一の前板を有する第一の収納ユニットと、前方に開口した第二の収納庫及びその開口を開閉自在に閉塞する第二の前板を有する第二の収納ユニットとを、隣接させて組み合わせることにより構成された収納家具であって、前記第二の収納ユニットは、閉状態における前記第二の前板が奥方に少許押し込まれることによって当該第二の前板の開放動作を補助するためのプッシュオープン機構を備え、前記第二の収納ユニットにおける前記第二の収納庫の前面は、前記第一の収納ユニットにおける第一の収納庫の前面よりも少許奥方に位置して、これら両ユニットの接合目地に段差部が形成されており、前記段差部には、前記第一の収納庫の前面から前記第二の収納庫の前面にかけて沿面を形成する形状とされた目地部材が設けられていることを特徴とする。
【０００７】
本発明に係る前記収納家具においては、前記第一の収納ユニットにおける第一の前板を、第二の前板側の端面が前記接合目地よりも前記第二の前板側に位置するように形成してもよい。
本発明に係る前記いずれかの収納家具においては、前記第一の前板と、前記第二の前板とを、略同厚さとしてもよい。
本発明に係る前記いずれかの収納家具においては、前記目地部材を、前記第二の収納庫における前記接合目地側の前面に添設するようにしてもよい。
【発明の効果】
【０００８】
本発明に係る前記収納家具は、前記第二の収納ユニットにおける前記第二の収納庫の前面が前記第一の収納ユニットにおける第一の収納庫の前面よりも少許奥方に位置しているので、上記プッシュオープン機構を備えた第二の収納ユニットにおける第二の収納庫の前面と、第二の前板の裏面との間に、当該前板を押し込むためのスペースを確保しながらも、第一の収納ユニットの前板と、第二の収納ユニットの前板とを、それぞれが閉塞された状態において、略面一となるように配置できる。換言すれば、上記プッシュオープン機構を備えた第二の収納ユニットにおける第二の前板の押し込みスペースを、第二の収納庫の前面を、第一の収納庫の前面よりも少許奥方に配置することで確保することができるので、例えば、当該押し込みスペースを確保するために、第二の収納ユニットにおける第二の前板を、第一の収納ユニットにおける第一の前板よりも手前側に位置させるような必要がない。従って、第一の収納ユニットの前板と、第二の収納ユニットの前板とを、それぞれが閉塞された状態において、略面一となるように配置でき、美観性に優れたものとなる。
また、前記第二の収納ユニットにおける前記第二の収納庫の前面が前記第一の収納ユニットにおける第一の収納庫の前面よりも少許奥方に位置して、これら両ユニットの接合目地に形成された段差部には、前記第一の収納庫の前面から前記第二の収納庫の前面にかけて沿面を形成する形状とされた目地部材が設けられているので、例えば、いずれかの前板を開放させた際にも、当該段差部が上記目地部材によって緩和されるので、該段差部が目立たず、美観性に優れたものとなる。
【０００９】
本発明に係る前記収納家具において、前記第一の収納ユニットにおける第一の前板を、第二の前板側の端面が前記接合目地よりも前記第二の前板側に位置するように形成すれば、上記第一の収納ユニットにおける前板を閉塞させた状態では、該第一の前板によって、上記目地部材を、より目立たせないようにすることができる。すなわち、上記段差部に設けられた目地部材と上記第一の収納庫との接合部位が、手前側から見た際に閉塞状態とされた第一の前板によって隠蔽され、該目地部材の少なくとも一部を上記第一の前板によって隠蔽することができる。
【００１０】
本発明に係る前記いずれかの収納家具において、前記第一の前板と、前記第二の前板とを、略同厚さとすれば、第一の前板と、第二の前板とを同一の板材料から切り出して製造することができるので、部材コストを低減できるとともに、同一の質感を現出でき、美観性に優れたものとなる。すなわち、上述のように、押し込みスペースを確保するとともに、隣接する両ユニットの前板を、それぞれの前面が略面一となるように配置させる場合には、プッシュオープン機構を備えたユニットの前板の厚みを、他方のユニットにおける前板の厚みよりも薄く形成することで、該押し込みスペースを確保することも考えられる。しかしながら、このようなものでは、別の板材から各前板を切り出して製造する必要があり、部材コストが高くなるとともに、開放させた際に、前板の質感に差異が生じてしまい、見栄えが悪くなる。
一方、上記構成とされた本発明によれば、部材コストを低減できるとともに、同一の質感を現出でき、美観性に優れたものとなる。
【００１１】
本発明に係る前記いずれかの収納家具において、前記目地部材を、前記第二の収納庫における前記接合目地側の前面に添設するようにすれば、上記第一の収納ユニットと上記第二の収納ユニットとを隣接させて組み付ける際に、該目地部材の前端縁部を、上記第一の収納ユニットにおける第一の収納庫の前縁部に位置合わせすることで、容易に組み付けることができ、施工性を向上させることができる。
【発明を実施するための最良の形態】
【００１２】
以下に本発明の最良の実施の形態について、図面に基づいて説明する。
図１は、本実施形態に係る収納家具を模式的に示す概略側面図、図２（ａ）、（ｂ）は、いずれも同収納家具における前板の開閉動作を説明するための説明図であり、（ａ）は、前板を押し込んだ状態における一部破断概略側面図、（ｂ）は、開放状態における一部破断概略側面図、図３は、同収納家具の組み付け工程を説明するための分解概略側面図である。図４は、同収納家具を用いたシステムキッチンのフロアユニットの一例を模式的に示す概略斜視図である。
尚、以下の実施形態で示す前方及び奥方は、収納家具（キャビネット）に対面した使用者を基準として示している。また、図１〜図３では、後記する加熱調理器ユニットの図示を省略し、図２では、引出しレール及び図２における紙面手前側の側板の図示を省略し、図４では、水栓金具等の図示を省略している。
【００１３】
本実施形態に係る収納家具１は、図４に示すように、いわゆるシステムキッチンにおいて床側に設置されるフロアユニットＡの一部に組み込まれ、該フロアユニットＡの一部を構成するキッチン用キャビネット１に適用した例を図示しており、より特定的に説明すれば、加熱調理器ユニット６等を備えた調理器キャビネット１に適用した例を図示している。
上記フロアユニットＡは、図４に示すように、大略的に、上記調理器キャビネット１と、シンク２ａを配したシンクキャビネット２と、これら調理器キャビネット１及びシンクユニット２の間に配された引出しキャビネット３と、これら各キャビネット１，２，３の上部に配されたカウンター（ワークトップ）４と、上記各キャビネット１，２，３で構成されたキャビネットの集合体の左右サイドを覆い隠すためのサイドパネル（エンドパネル）５とを備えている。
【００１４】
上記調理器キャビネット１は、図４に示すように、大略的に、上記カウンター４に開設された開口に嵌め込まれたコンロ部６ａやグリル部６ｂ、各種操作パネル等を有した加熱調理器ユニット６と、該加熱調理器ユニット６の下方に配置され、該加熱調理器ユニット６が載置される調理器下ユニット（第一の収納ユニット）１０と、該調理器下ユニット１０の上部に載置されるとともに、上記加熱調理器ユニット６の側方に配された小引出しユニット（第二の収納ユニット）２０とを備えている。
【００１５】
上記調理器下ユニット１０は、図１に示すように、前方に開口した方形箱状の調理器下収納庫１１と、該調理器下収納庫１１に出し入れ自在に収納される中段引出し１３及び下段引出し１７とを備えている。
本実施形態では、この調理器下収納庫１１は、二段の引出し１３，１７を出し入れ自在に収納する収納庫として機能し、その開口は、両引出し間に設けられた棚板（仕切り板、不図示）によって仕切られており、二つの開口が設けられた態様となる。
また、これら各引出し１３，１７は、上記調理器下収納庫１１の両側板１１ｃ，１１ｃの内側面に設けられたスライドレール１２，１６によってそれぞれ出し入れ自在に支持されており、これら各引出し１３，１７は、プッシュオープン機構を備えておらず、手動で出し入れがなされる構成とされている。すなわち、該調理器下ユニット１０は、非プッシュオープン式収納ユニットとされている。
【００１６】
上記各引出し１３，１７の各前板１４，１８によって、上記調理器下収納庫１１の両開口が開閉自在に閉塞される構成となる。
また、上記調理器下収納庫１１の前面を構成する天板１１ｂ、側板１１ｃ，１１ｃ及び上記棚板等の手前側端面（前方開口側端面）１１ａの適所には、上記各引出し１３，１７の各前板１４，１８の裏面と閉状態において当接し、これらとの隙間及び衝撃を低減するための合成樹脂材等からなるパッキン部材１５が両開口に沿って取付けられている。
【００１７】
上記小引出しユニット２０は、前方に開口した方形箱状の小引出し収納庫２１と、該小引出し収納庫２１に出し入れ自在に収納される小引出し２３と、該小引出し２３を押し出し方向に向けて開放させて開放動作を補助するための後記するプッシュオープン機構２６と、後記する目地部材２７とを備えている。すなわち、該小引出しユニット２０は、プッシュオープン式収納ユニットとされている。
上記小引出し２３は、上記小引出し収納庫２１の両側板２１ｃ，２１ｃの内側面に設けられたスライドレール２２によってスライド自在に支持されている。
また、上記小引出し２３の前板２４によって、上記小引出し収納庫２１の開口が開閉自在に閉塞される構成となる。
【００１８】
この小引出し２３の前板２４と、上記調理器下ユニット１０の中段引出し１３の前板１４とは、本実施形態では、略同厚さのものとされており、例えば、同一の板材料から切り出して製造されている。
また、該小引出し２３の前板２４の前面と、上記調理器下ユニット１０における中段引出し１３の前板１４の前面とは、これら各引出し１３，２３が収納された状態（各前板１４，２４によって各開口を閉塞した状態）では、略面一となるように配置されている。
【００１９】
上記小引出し収納庫２１は、図２に示すように、上部の一部を閉塞する棚板状の天板２１ｂと、両側板２１ｃ，２１ｃと、底板２１ｄとによって、前方に開口した方形箱状に形成されており、これら各板材の手前側端面２１ａが当該小引出し収納庫２１の前面を構成する。
この手前側端面２１ａには、開口に沿ってプッシュオープン用のパッキン部材２５が取付けられている。
このパッキン部材２５は、小引出し２３の出し入れ方向に沿って弾性変形が可能とされ、例えば、ゴムや軟質樹脂等によって形成されている。すなわち、該パッキン部材２５は、後記するように、小引出し２３の前板２４の奥方への押し込みが可能なように弾性変形が可能とされている。
上記パッキン部材２５に、上記小引出し２３の前板２４の裏面が当接されて、該前板２４との隙間及び衝撃の低減がなされる。
【００２０】
上記パッキン部材２５の手前側への突出幅は、上記調理器下収納庫１１の開口に沿って取付けられたパッキン部材１５の手前側への突出幅よりも大きく形成されている。
これら両パッキン部材１５，２５の突出幅は、ほぼ弾性変形を伴っていない状態、すなわち、各引出し１３，２３の前板１４，２４に対して押し込み方向への外力が作用していない閉状態では、後記する引っ込み幅ｇ１（図１参照）分だけ上記パッキン部材２５の突出幅が上記パッキン部材１５の突出幅よりも大きく形成されている。換言すれば、これら両パッキン部材１５，２５は、これらの前端部が垂直方向に沿って整合する位置となるよう、後記する引っ込み幅ｇ１（図１参照）に応じて形成されている。
【００２１】
上記目地部材２７は、図１に示すように、断面略三角形状とされており、上記小引出し収納庫２１の手前側端面２１ａの下端縁部に沿って、該小引出し収納庫２１の幅方向の全長に亘って添設されており、その下面（底面）が上記調理器下収納庫１１の天板１１ｂ上面に当接されている。また、該目地部材２７の手前尖端部が上記調理器下収納庫１１の天板１１ｂ上面の前端縁部に沿って位置するように設けられている。
この目地部材２７は、例えば、金属材や硬質の合成樹脂材等で形成されており、各ユニット１０，２０の色調に合わせた塗装が施されたり、或いは色柄材等が添加されたりして形成されている。
また、該目地部材２７の手前側への突出幅（すなわち、底面の幅）は、後記する引っ込み幅ｇ１と略同幅とされている。
尚、該目地部材２７の上記小引出し収納庫２１への取り付けは、例えば、当該目地部材２７における上記手前側端面２１ａへの取り付け面に、両面テープ等を添着しておき、該両面テープの剥離紙を剥離させることで、取付けるようにしてもよい。これによれば、簡易に組み付けることが可能となる。
【００２２】
上記プッシュオープン機構２６は、小引出しユニット２０における閉塞された状態（閉状態）の上記小引出し２３の前板２４が奥方に少許押し込まれることによって、該前板２４を開放させる構成とされている。つまり、上記小引出し収納庫２１の開口を開閉自在に閉塞する前板２４を開放させるとは、換言すれば、該前板２４を備える小引出し２３を、前方に向けて押し出して開放させることとなる。
上記プッシュオープン機構２６としては、上記前板２４を奥方に少許押し込むことによって、上記小引出し２３を前方に向けて押し出す機構を備えたものであればどのようなものでもよい。
【００２３】
例えば、図２に示すように、該小引出し２３の背板（先板）に係合する係合アーム２６ｂと、小引出し２３の押し出し方向に向けて上記係合アーム２６ｂを付勢するコイルバネ等からなる付勢部材２６ａと、該付勢部材２６ａによる該係合アーム２６ｂの押し出し方向への付勢（又は該係合アーム２６ｂ自体の押し出し方向への移動）の規制（ロック）及び解除を、上記前板２４が奥方に押し込まれる毎に交互に繰り返すロック手段（不図示）とを備えた構成としてもよい。
このプッシュオープン機構２６を備えた小引出しユニット２０では、図２（ａ）に示すように、上記前板２４を、二点鎖線に示す閉状態から、実線で示すように、奥方に向けて少許押し込むと、上記パッキン部材２５の弾性変形を伴って、該前板２４が奥方に向けて移動するとともに、小引出し２３の背板が奥方に向けて移動する。この背板の移動により、該背板に当接した上記係合アーム２６ｂが、プッシュオープン機構２６の筐体内に押し込まれ、上記ロック手段の解除がなされる。
【００２４】
上記前板２４の奥方への押し込み幅は、上記ロック手段の解除が可能な幅とされ、例えば、２ｍｍ〜１０ｍｍ程度の比較的、小さい幅とされている。また、該押し込み幅は、後記する引っ込み幅ｇ１（図１参照）と略同幅或いは該引っ込み幅ｇ１より僅かに小さい幅とされている。
上記ロック手段の解除がなされれば、図２（ｂ）に示すように、上記付勢部材２６ａによって、上記係合アーム２６ｂが押し出し方向へ付勢され、該係合アーム２６ｂによって、小引出し２３の背板が前方に向けて押し出され、該小引出し２３の開放がなされる。
このプッシュオープン機構２６による小引出し２３の開放は、該小引出し２３を全開状態まで開放するものではなく、図例のような半開きに開放させるものでもよい。
【００２５】
上記開放状態とされた小引出し２３の前板２４を奥方に向けて押し込んで、小引出し２３を収納すれば、該小引出し２３の背板が、上記係合アーム２６ｂに当接し、上記付勢部材２６ａが押し縮められて、上記ロック手段がロック状態とされるとともに、該前板２４によって小引出し収納庫２１の開口が閉塞される。
尚、上記係合アーム２６ｂは、本実施形態では、小引出し２３の背板に係合する例を図示しているが、例えば、小引出し２３の底板や側板（端板）、或いは前板２４等に係合する態様のものとしてもよい。
また、上記プッシュオープン機構２６の具体的構成は、適宜、公知のプッシュオープン機構の採用が可能であり、例えば、小引出し２３の底板に設けられた突起に一端が係合され、他端が回動自在に小引出し収納庫２１の適所に取付けられたアーム部材と、該アーム部材を回転させる渦巻きバネ等からなる付勢部材とによってプッシュオープン機構２６を構成するような態様としてもよい。
【００２６】
上記構成とされた上記調理器下ユニット１０と、小引出しユニット２０とは、図１に示すように、上下に積重ねられて組み付けられている。
また、上記小引出しユニット２０における小引出し収納庫２１の手前側端面２１ａが、上記調理器下ユニット１０における調理器下収納庫１１の手前側端面１１ａよりも少許奥方に位置して、これら両ユニット１０，２０の接合目地ｊに段差部ｇが形成されており、該段差部ｇに、上記小引出しユニット２０に設けられた上記目地部材２７が配置されている。
【００２７】
すなわち、上記調理器下収納庫１１の天板１１ｂと、その上に当接して載置された小引出し収納庫２１の底板２１ｄとが、これら各収納庫１１，２１の接合面を構成し、該接合面の手前側に接合目地ｊが形成されている。また、上記のように組み付けられた状態では、側面視において、上記小引出し収納庫２１の手前側端面２１ａが、上記調理器下収納庫１１の手前側端面１１ａよりも引っ込み幅ｇ１だけ奥方に引込んで位置し、これら各収納庫１１，２１の手前側端面１１ａ，２１ａ間に、上記段差部ｇが形成されている。
上記引っ込み幅ｇ１は、上記したように、上記プッシュオープン機構２６のロック手段の解除が可能な幅、すなわち、上記前板２４の押し込み幅に応じた幅とされている。
上記目地部材２７は、上記段差部ｇに設けられており、該段差部ｇに配置された状態では、該目地部材２７によって、調理器下収納庫１１の手前側端面１１ａから小引出し収納庫２１の手前側端面２１ａにかけて沿面が形成される。すなわち、小引出し収納庫２１の手前側端面２１ａと、調理器下収納庫１１の手前側端面１１ａとの間に形成された上記段差部ｇを、滑らかな斜面によって連結するように上記目地部材２７が設けられている。
【００２８】
また、上記のように両ユニット１０，２０が組み付けられた状態では、上記調理器下ユニット１０における中段引出し１３の前板１４は、その上側端面（小引出し２３の前板２４側の端面）１４ａが上記接合目地ｊよりも小引出し２３の前板２４側に位置するように形成されている。
すなわち、上記中段引出し１３の前板１４は、図１に示すように、側面視において、該前板１４の上側端面１４ａが、上記接合面よりも出幅ｇ２だけ上方に向けて延出するように形成されている。換言すれば、該中段引出し１３の前板１４の上端部が、調理器下収納庫１１の天板１１ｂよりも上方に突出するように、該前板１４が形成されている。
これにより、上記中段引出し１３の前板１４が閉状態において、手前側から見た際には、上記目地部材２７と、調理器下収納庫１１との接合部位が、上記中段引出し１３の前板１４によって隠蔽されるとともに、該目地部材２７の一部を隠蔽でき、美観性に優れたものとなる。
【００２９】
上記構成とされた上記調理器下ユニット１０と、小引出しユニット２０とは、例えば、図３に示すようにして組み付けるようにしてもよい。
すなわち、床側に設置された上記調理器下ユニット１０における調理器下収納庫１１の天板１１ｂの上面に、上記小引出しユニット２０における小引出し収納庫２１の底板２１ｄの下面を当接させて、調理器下収納庫１１の上方に、小引出し収納庫２１を載置する。
この際、上記のように、小引出し収納庫２１の手前側端面２１ａの下端縁部に沿って添設された上記目地部材２７の手前尖端部を、上記調理器下収納庫１１の天板１１ｂの前端縁部に位置合わせするようにして組み付けるようにしてもよい。
このような組み付け態様によれば、上記目地部材２７の手前尖端部を、上記調理器下収納庫１１の天板１１ｂの前端縁部に沿わせて組み付けることで、上記引っ込み幅ｇ１が容易かつ確実に設定され、組み付け性に優れたものとなる。
【００３０】
以上のように、本実施形態に係る調理器キャビネット１によれば、上述のように、プッシュオープン式の小引出しユニット２０における小引出し収納庫２１の手前側端面２１ａを、非プッシュオープン式の調理器下ユニット１０における調理器下収納庫１１の手前側端面１１ａよりも、上記引っ込み幅ｇ１だけ奥方に位置させているので、該引っ込み幅ｇ１によって、上記小引出しユニット２０における前板２４の押し込み幅の確保がなされる。
また、このように、上記小引出しユニット２０における前板２４の押し込み幅を確保することで、上記のように、上記調理器下ユニット１０における中段引出し１３の前板１４と、上記小引出しユニット２０における小引出し２３の前板２４とを略面一となるように配置できる。換言すれば、上記プッシュオープン機構２６を備えた小引出しユニット２０における前板２４の押し込みスペースを、上記小引出し収納庫２１の手前側端面２１ａを、上記調理器下収納庫１１の手前側端面１１ａよりも、上記引っ込み幅ｇ１だけ奥方に位置させることで確保することができるので、例えば、当該押し込みスペースを確保するために、小引出しユニット２０の前板２４を、調理器下ユニット１０の前板１４よりも手前側に位置させるような必要がない。従って、調理器下ユニット１０の前板１４と、小引出しユニット２０の前板２４とを、それぞれが閉塞された状態において、略面一となるように配置でき、美観性に優れたものとなる。
【００３１】
また、上記段差部ｇには、上記調理器下収納庫１１の手前側端面１１ａから上記小引出し収納庫２１の手前側端面２１ａにかけて沿面を形成する形状とされた目地部材２７が設けられているので、例えば、いずれかの前板１４，２４を開放させた際にも、当該段差部ｇが上記目地部材２７によって緩和されるので、該段差部ｇが目立たず、美観性に優れたものとなる。
さらに、本実施形態では、上記小引出し２３の前板２４と、上記調理器下ユニット１０の中段引出し１３の前板１４とは、略同厚さのものとされており、同一の板材料から切り出して製造されているので、部材コストを低減できるとともに、同一の質感を現出でき、美観性に優れたものとなる。
【００３２】
尚、上記目地部材２７の断面形状は、図例のような略三角形状とされたものに限られず、上述のように沿面を形成する形状のものであればどのようなものでもよく、例えば、手前側に露出した斜面が凸湾曲面状或いは凹湾曲面状となるような断面形状のものとしてもよい。
また、上記各収納庫１１，２１の開口に沿ってそれぞれ設けられたパッキン部材１５，２５の形状は、図例のようなものに限られず、また、このようなパッキン部材１５，２５を設けないようにしてもよい。或いは、上記各収納庫１１，２１の開口に沿ってそれぞれ設ける態様に代えて、各ユニット１０，２０の各前板１４，２４の裏面に設けるような態様としてもよい。
【００３３】
さらに、本実施形態では、図４に示すように、調理器キャビネット１において、小引出しユニット２０に目地部材２７を設けて、その小引出し収納庫２１の手前側端面２１ａを、調理器下収納庫１１の手前側端面１１ａよりも奥方に引っ込ませて配設した態様を例示しているが、他の態様としてもよい。例えば、調理器キャビネット１において、調理器下ユニット１０を、いずれか一方がプッシュオープン式収納ユニットとされ、他方が非プッシュオープン式ユニットとされた中段引出しユニットと下段引出しユニットとからなるものとし、一方のプッシュオープン式収納ユニットにおける収納庫の手前側端面に、横方向に沿って上記目地部材２７を添設して、該収納庫の手前側端面を、他方の非プッシュオープン式ユニットにおける収納庫の手前側端面よりも上記引っ込み幅ｇ１だけ引っ込ませて上記同様の段差部を形成するように配設し、該段差部に上記目地部材が配置されるような態様としてもよい。また、図４に示す、他のキャビネット２，３に、本発明を適用するようにしてもよい。
【００３４】
或いは、上記のように、各ユニットを上下に積重ねて隣接させて、組み合わせ収納家具を構成する態様に代えて、左右に隣接させて、組み合わせ収納家具を構成する態様に本発明を適用するようにしてもよい。例えば、図４に示す引出しキャビネット３の少なくとも一つのユニット（上段、中段、下段ユニット）を、プッシュオープン式収納ユニットとし、該ユニットにおける収納庫の手前側端面に、縦方向に沿って上記目地部材２７を添設して、該収納庫の手前側端面を、該引出しキャビネット３の両側方にそれぞれ配設された調理器キャビネット１及びシンクキャビネット２の各収納庫の手前側端面よりも上記引っ込み幅ｇ１だけ引っ込ませて上記同様の段差部を形成するように配設し、該段差部に上記目地部材が配置されるような態様としてもよい。
【００３５】
さらにまた、本実施形態では、キッチン用のキャビネットに本発明を適用した例を示しているが、住居等の建物のリビングやダイニングスペース等の居室空間、或いは台所や洗面化粧台、玄関等に設置される収納家具に、本発明を適用してもよい。
また、本実施形態では、各収納ユニットの収納庫の開口を開閉自在に閉塞する前板として、引出しの前板を例示しているが、各収納ユニットの収納庫を、開き収納として把握し、該開き収納の開口を、開閉自在に閉塞する開閉扉を、本発明における前板として把握するようにしてもよい。
【図面の簡単な説明】
【００３６】
【図１】本発明に係る収納家具の一実施形態を模式的に示す概略側面図である。
【図２】（ａ）、（ｂ）は、いずれも同収納家具における前板の開閉動作を説明するための説明図であり、（ａ）は、前板を押し込んだ状態における一部破断概略側面図、（ｂ）は、開放状態における一部破断概略側面図である。
【図３】同収納家具の組み付け工程を説明するための分解概略側面図である。
【図４】同収納家具を用いたシステムキッチンのフロアユニットの一例を模式的に示す概略斜視図である。
【符号の説明】
【００３７】
１            調理器キャビネット（収納家具）
１０          調理器下ユニット（第一の収納ユニット）
１１          調理器下収納庫（第一の収納庫）
１１ａ        手前側端面（第一の収納庫の前面）
１４          中段引出しの前板（第一の前板）
１４ａ        前板の上側端面（第二の前板側の端面）
２０          小引出しユニット（第二の収納ユニット）
２１          小引出し収納庫（第二の収納庫）
２１ａ        手前側端面（第二の収納庫の前面）
２４          小引出しの前板（第二の前板）
２６          プッシュオープン機構
２７          目地部材
ｇ            段差部
ｊ            接合目地
【図１】
2010142544.tif 000003
【図２】
2010142544.tif 000004
【図３】
2010142544.tif 000005
【図４】
2010142544.tif 000006